(57)【特許請求の範囲】
【請求項１】
横断面が楕円形であり、縦断面の基本形体は斜辺が緩やかな膨らみを有する直角三角形状の外ケースを有する携帯用のヘアードライヤにおいて、
前記携帯用のヘアードライヤは、前記外ケース内の上方に熱風発生室を、下方にガスボンベ室を、一端で連結してＶ字型に配設しており、前記熱風発生室とガスボンベ室との間に横方向に平行して複数の電池収納部を備え、前記複数の電池収納部の間に点火機構の圧電ユニットを設けたことを特徴とする携帯用ヘアードライヤ。
【請求項２】
前記熱風発生室には、前記Ｖ字型の一方の辺に沿って先端に吐風口、その内側に熱源、該熱源の後方にファンを順に設け、前記ガスボンベ室はＶ字型の他方の辺に沿って配置し、前記Ｖ字型の２辺が交差する後部に吸気口を設けたことを特徴とする請求項１に記載の携帯用ヘアードライヤ。
【請求項３】
前記外ケースの前記直角三角形の斜辺を掌の受け部とし、前記Ｖ字の一方の辺と他方の辺の間に指の支えとなる窪み又は突起を設けたことを特徴とする請求項１又は２に記載の携帯用ヘアードライヤ。
【請求項４】
前記外ケースの斜辺の後端部近傍にストラップ取り付け手段を設けたことを特徴とする請求項１又は２に記載の携帯用ヘアードライヤ。
【発明の詳細な説明】
【技術分野】
【０００１】
この発明は、コードレスの携帯用ヘアードライヤに係り、詳しくは熱源としてガスを使用する小型でデザイン性に優れ、持運びが容易な携帯用ヘアードライヤに関する。
【背景技術】
【０００２】
ヘアードライヤの熱源として、電気ヒータに代えて、ボンベに充填したブタンガス等の液化石油ガスのガス燃焼を利用したヘアードライヤが開発され、既に市販されている。ガス燃焼を利用したヘアードライヤは、電気ヒータを用いたものに比べて、外部電源への接続が不要となり、したがってコードレスとなることから電源が入手できないところでも使用できるため、使用場所が制限されないことから広く使用されるようになってきている。
【０００３】
図４は、下記特許文献１に記載された携帯用ヘアードライヤの構成を示す断面図である。
【０００４】
このヘアードライヤ１０１の本体１０２のハウジングは、耐熱性の成型品により構成されたＬ字型をしている。本体１０２のハンドル内部には、燃料ガスを収納するガスボンベ１０３と蓄電池１２８と回転制御及び充電用電気回路１２９とガスボンベ１０３からの燃料ガス供給量を制御する制御部１１２が収納されている。本体１０２の温風発生部には、ガスボンベ１０３からのガス供給路の出口に位置するノズル１０４と、ノズル１０４の後方から温風吹き出し口１０５に向けて空気を供給する送風部１０６と、この送風部１０６によって送風される空気と燃料ガスをあらかじめ混合して混合気体を作る予混合部１０７と、この予混合部１０７によって混合された混合気体を所定の温度まで加熱する予熱部１０８と、この予熱部１０８で混合気体に点火する着火部１０９と予熱部１０８によって加熱された混合気体を触媒燃焼させる触媒燃焼部１１０と、この触媒燃焼部１１０での温度変化を検知する検知部１１１とこの検知部１１１での検知に応じて前記ノズル１０４の弁部の開閉を制御してガスボンベ１０３からの燃料ガス供給量を制御する制御部１１２とが設けられている。
【０００５】
また、図示はしないが、下記特許文献２に記載された携帯用ヘアードライヤにおいては、ガスボンベをＬ字型本体のハンドル内部ではなく、温風発生部の下に平行に取り付けたものが示されている。
【特許文献１】特開平５−１３７６１２号公報（段落［０００８］、図１）
【特許文献２】特開平５−１３７６１３号公報（段落［０００８］、図１）
【発明の開示】
【発明が解決しようとする課題】
【０００６】
しかしながら、特許文献１及び特許文献２に記載の携帯用ヘアードライヤにおいては、ハウジングがガスボンベからノズルまでの配管のために固定されたＬ字型の外形をなしているため大型になりかさばって携帯に不便であることや、またかさばるためにバッグに無理に押し込むとバッグが破損するおそれもある。またその操作においては、ハンドルを握って温風発生部の他端を頭部の所定部分に向けようとしても、ハンドルの部分の動きが温風発生部の他端では増幅されてなかなか狙いどおりにならず、取り扱いが簡単でなく、このため使い勝手がよくないという問題があった。
【０００７】
なお、上記特許文献１及び特許文献２に記載の携帯用ヘアードライヤの他に、図示はしないがハンドル部分を折りたたみ可能なＬ字型のハウジングを用いたものもある。しかし、大型でかさばり携帯に不便であること、操作に難点があり使い勝手がよくないことにおいては、上記特許文献１及び特許文献２のものと同様の問題があった。
【０００８】
本願の発明者らは、前記の問題点を解決すべく種々検討を行った結果、携帯用ヘアードライヤのハウジングに着目し、外ケースの横断面が楕円形であり、縦断面の基本形体は斜辺が緩やかな膨らみを有する直角三角形とし、前記外ケース内に熱風発生室とガスボンベ室とを一端で連結してＶ字型に配設し、さらに複数の電池収納部の間に点火機構の圧電ユニット（素子）を配置することによってスペースを有効活用し、小型で出っ張りがなく、デザイン性と操作性に優れた携帯用ヘアードライヤが提供できることを見出し、本発明を完成するに至ったものである。
【０００９】
すなわち本発明は、デザイン性に優れ、小型で持ち運びが容易な携帯用ヘアードライヤを提供することを目的とするものである。
【００１０】
また、本発明は、操作性の容易な携帯用ヘアードライヤを提供することを目的とするものである。
【課題を解決するための手段】
【００１１】
前記課題を解決するために、請求項１の発明に係る携帯用ヘアードライヤは、横断面が楕円形であり、縦断面の基本形体は斜辺が緩やかな膨らみを有する直角三角形状の外ケースを有する携帯用のヘアードライヤにおいて、前記携帯用のヘアードライヤは、前記外ケース内の上方に熱風発生室を、下方にガスボンベ室を、一端で連結してＶ字型に配設しており、前記熱風発生室とガスボンベ室との間に横方向に平行して複数の電池収納部を備え、前記複数の電池収納部の間に点火機構の圧電ユニットを設けたことを特徴とする。
【００１２】
また、請求項２の発明は、請求項１に記載の携帯用ヘアードライヤに係り、前記熱風発生室には、前記Ｖ字型の一方の辺に沿って先端に吐風口、その内側に熱源、該熱源の後方にファンを順に設け、前記ガスボンベ室はＶ字型の他方の辺に沿って配置し、前記Ｖ字型の２辺が交差する後部に吸気口を設けたことを特徴とする。
【００１６】
請求項３の発明は、請求項１又は２に記載の携帯用ヘアードライヤに係り、前記外ケースの前記直角三角形の斜辺を掌の受け部とし、前記Ｖ字の一方の辺と他方の辺の間に指の支えとなる窪み又は突起を設けたことを特徴とする。
【００１７】
請求項４の発明は、請求項１又は２に記載の携帯用ヘアードライヤに係り、前記外ケースの斜辺の後端部近傍にストラップ取り付け手段を設けたことを特徴とする。
【発明の効果】
【００１８】
請求項１の発明によれば、デザイン性に優れ、小型で持ち運びが容易な携帯用ヘアードライヤが提供できる。すなわち、従来のヘアードライヤはＬ字型であるため、折りたたんだ際にも持ち手部分と温風の噴出部分との間に無駄なスペースができ、結果大型になりがちであったが、本発明ではＬ字型ではなく、持ち手部分と温風の噴出部分が一体となっているため、無駄なスペースができることなく、以って全体として小型化が実現できる。また、ハウジングがＬ字型の場合はハンドルが軸となって熱風の吐き出される先端が大きく振られるため手の動きを伝えにくいが、本発明は従来例のようなハンドルがないので、使用の際には髪の近くにドライヤ本体を保持できるし、手の動きを忠実に伝えやすく操作がしやすくなる。また、電池収納部をガスボンベ室と熱風発生室との間に横方向に平行して配置し、複数の電池収納部の間に点火機構の圧電ユニットを配置することにより、効率的なスペースの利用を行うことができるため小型化を容易に達成できるようになる。
【００１９】
請求項２の発明によれば、熱風発生室をはじめとする構成要素の合理的な配置ができることから小型化をより容易に達成できる。
【００２３】
請求項３の発明によれば、外ケースの直角三角形の膨らませた斜辺を掌の受け部とし、前記Ｖ字の一方の辺と他方の辺の間に指の支えとなる窪み又は突起を設けたことにより、使用に際して操作性を高めることができるので、使い勝手のよい携帯用ヘアードライヤを提供できる。
【００２４】
請求項４の発明によれば、ヘアードライヤにストラップが付けられるため、このストラップを手に絡めて持つことができ、携帯が便利になる。また、このストラップを手に絡めて持てばヘアードライヤ自体を落とすことがなくなり、ヘアードライヤの破損を防ぐことができる。
【発明を実施するための最良の形態】
【００２５】
以下、図面を参照して、本発明の最良の実施形態を説明する。ただし、以下に示す実施形態は、本発明の技術思想を具体化するための携帯用ヘアードライヤを例示するものであって、本発明をこの携帯用ヘアードライヤに特定することを意図するものではなく、特許請求の範囲に含まれるその他の実施形態のものにも等しく適用し得るものである。
【実施例】
【００２６】
図１は、本発明に係る携帯用ヘアードライヤの一実施態様を示し、図１（ａ）は正面図、図１（ｂ）は図１（ａ）のＡ−Ａ断面図である。図２は、携帯用ヘアードライヤの内部配置の概要を説明する一部切り欠き断面斜視図である。図３は、携帯用ヘアードライヤの内部配置の概要を説明する一部切り欠き断面正面図である。
【００２７】
本発明は、図１（ａ）及び図１（ｂ）に示すように、携帯用ヘアードライヤ１の外ケース１０を横断面が楕円形、縦断面の基本形体は斜辺が緩やかな膨らみを有する直角三角形状とし、外ケース１０の内部に熱風発生室１１とガスボンベ室１２とを有している。そして、外ケース１０内に熱風発生室１１とガスボンベ室１２とを一端で連結してＶ字型に配設しており、熱風発生室１１とガスボンベ室１２との間に複数の電池収納部２１を備え、複数の電池収納部２１の間に点火機構２０の圧電ユニット２４を設けることによってスペースを有効活用し、小型で出っ張りがなく、デザイン性と操作性が優れている携帯用ヘアードライヤを提供しようとするものである。
【００２８】
携帯用ヘアードライヤ１の外ケース１０は、耐熱性の成型品やステンレス・スチールなどにより構成され、図１（ｂ）に示すように横断面の輪郭が略楕円形である。また、外ケース１０の縦断面の基本形体は図２に示すように直角三角形であるが、特にその斜辺１０ｈが緩やかな膨らみを有して大きく変形し、また直角三角形の頂点付近１０ｓは丸められて滑らかな円形ドーム形状となっている。外ケース１０の側面にはスライドつまみ２６の一部が僅かに出ているだけで、全体として滑らかな形態をしている。外ケース１０は、本体１０ａ、ボンベカバー１０ｂ、後部カバー１０ｃから構成されており、楕円形の輪郭を有する外ケース正面の上部には、熱風を吹き出す吐風口１４が開口している。また、斜辺１０ｈの後端近くにはストラップ取り付け手段４０が設けてあり、本体１０ａの側面の一部は保持を容易にするための窪み又は突起１０ｆが形成されている。ちなみに、図１（ａ）の携帯用ヘアードライヤ１は、ボンベカバー１０ｂに比べて吐風口１４が若干前面に突出しているが、このようなものも基本形体は直角三角形であり、他にも例えばボンベカバー１０ｂが背面方向に傾斜しているもの等も考えられる。
【００２９】
この外ケース１０の内部には、図２、図３に示すように、熱風発生室１１をガスボンベ室１２と一端で連結してＶ字型となるように配置している。すなわち、Ｖ字の一方の辺には円筒形に形成された熱風発生室１１が配置され、熱風発生室１１の先端に外部に熱風を吹き出す吐風口１４が位置し、その内側には、バーナーや燃焼部などのガス燃焼室が構成する熱源１５、さらには熱源１５の後方には送風室１６を設け、風を送るファンモータとファン（図示省略）を設けている。Ｖ字の他方の辺には円筒形のガスボンベ室１２を設け、ガスボンベ室１２にはプロパン、ブタンなどの燃料ガスを充填したガスボンベ１３が着脱自在に装着される。
【００３０】
熱風発生室１１とガスボンベ室１２との間にはガスの点火機構２０（図示一部省略）が収納され、Ｖ字の２辺が接触する後部カバー１０ｃには外気を導入するため複数の孔からなる吸気口１８を設けている。点火機構２０は、電池収納部２１に装着された電池とマイクロスイッチ２２を含むファンの回転制御用電気回路と、ガスボンベ室１２に装着したガスボンベ１３からの燃料ガス供給量を制御するバルブ、火花放電用の圧電ユニット２４及び点火プラグからなり、圧電ユニット２４に高電圧を発生させるためのスライドつまみ２６が外ケースの側壁面に設けてあり、例えばスライドつまみ２６のスライド移動に伴う二重式の押しボタンの制御をすることで作動する。
【００３１】
具体的には、図示はしないが、第１ボタンを押し下げるとガスのバルブが「開」状態となり、第２ボタンを押し下げると第２ボタンが圧電ユニット２４を圧迫して放電着火を行うこととなる。スライドつまみ２６の有する下部突起がスライド移動してボタンを押圧することにより、第１ボタンと第２ボタンに連関した一連の作用を行うことができる。これにより、点火プラグに火花が発生し、熱風発生室１１に噴出する混合ガスに着火されてガスが燃焼する。
【００３２】
圧電ユニット２４は二つの電池収納部２１の間に設けられ、点火プラグに接続されて一方の放電電極を形成する。これにより、各電池収納部２１に挟まれた隙間は圧電ユニット２４の収納スペースとして有効利用されるため、携帯用ヘアードライヤを小型にできる。この圧電ユニット２４は、本実施例では圧電素子を使用しており、その周縁部がモールド樹脂により覆われており、周囲との絶縁状態が維持されている。なお、樹脂には、耐熱性、接着性、電気特性等に優れるエポキシ樹脂等を使用しうる。
【００３３】
もう一方の放電電極は、熱風発生室１１の外周部に設けられており、圧電ユニット２４と電線により接続されている。なお、図３においては、ガスボンベ１３、バルブ及び熱風発生室１１のノズル相互間の配管や電線の接続は図示を省略してある。
【００３４】
熱風発生室１１の内部には、ガスボンベ１３からバルブを介したガス供給路１３ａの中継パイプの出口に位置するノズル１３ｂがあり、ノズル１３ｂの後方から吐風口１４に向けて空気を供給する送風ファンによって送風される空気と燃料ガスを混合して混合気体を作る混合部と、混合気体を所定の温度まで加熱する予熱部と、予熱部で混合気体に点火する着火部と、予熱部によって加熱された混合気体を燃焼させるバーナーや燃焼部などのガス燃焼室が構成する熱源１５及び放熱フィン１７などが設けられている。燃焼部としては多孔質のコーディエライトやアルミナなどのセラミックスや金属板等の担体が用いられる。
【００３５】
バルブは、図示しないが、ガスボンベ１３のガスが供給される熱風発生室１１のノズルにつながる中継パイプの途中に位置している。バルブは、その弁の開閉を制御してガスボンベ１３からの燃料ガス供給量を制御する。また、中継パイプの先端に設けたノズル１３ｂは、ガスボンベ１３内の気化されたガスを図示しない混合部に噴射させる。予熱部１５ａは燃焼を促進するために、混合気体を所定の温度にまで加熱する部分であり、燃焼部の外周を覆うとともに一端が混合部まで延設された余熱フィン１５ａ１と熱源の出口を覆う通気性のある吸気板１５ａ２とで構成されている。混合され予熱したガスは、圧電ユニット２４の加圧放電により着火、燃焼される。
【００３６】
送風室１６はファンとファンモータ（図示省略）とからなり、ガスと空気を一定の割合に混合するよう混合部１５ｂに所要の空気量を送る。
【００３７】
図２を参照すると、ファンモータの駆動用電源である電池収納部２１は、外ケース１０内の上方にある円筒形の熱風発生室１１と、下方にあり同じく円筒形のガスボンベ室１２に挟まれた空間に設けられている。このようにＶ字を構成する一方の辺と他方の辺との間に生まれる隙間に横方向に平行して電池収納部２１を設けると、前記熱風発生室１１とガスボンベ室１２とに挟まれた隙間は電池の収納スペースとして有効利用され、携帯用ヘアードライヤを小型にできる。さらに、電池収納部２１の吐風口１４側の開口部には図示しない着脱自在な蓋を設けたので、電池交換の際の電池の出し入れが容易となる。ボンベカバー１０ｂの脱着は、ロックボタン１０ｄを押して引っ張ることにより、図示しない溝をスライドさせて外すことができ、溝に嵌め込んで、スライドさせながら押し込むことにより装着できるようになっている。なお、１０ｅはボンベカバー１０ｂの他方のロックボタンである。
【００３８】
なお、本実施例の電池収納部の間に設けた圧電ユニットは、機械的な圧力を加えてスパークを発生させる圧電素子を例示したが、電子的に高電圧を発生させてスパークを発生させる電気回路組立体であってもよい。
【図面の簡単な説明】
【００３９】
【図１】図１は、本発明に係る携帯用ヘアードライヤを示し、図１（ａ）は正面図、図１（ｂ）は図１（ａ）のＡ−Ａ断面図。
【図２】図２は、携帯用ヘアードライヤの内部配置の概要を説明する一部切り欠き断面斜視図。
【図３】図３は、携帯用ヘアードライヤの内部配置の概要を説明する一部切り欠き断面正面図。
【図４】図４は、従来の携帯用ヘアードライヤの構成を示す断面図。
【符号の説明】
【００４０】
１        携帯用ヘアードライヤ
１０        外ケース
１０ｆ      窪み又は突起
１１        熱風発生室
１２        ガスボンベ室
１３        ガスボンベ
１４        吐風口
１５        熱源
１５ａ      余熱部
１５ｂ      混合部
１５ａ１     余熱フィン
１５ａ２     吸気板
１６        送風室
１７        放熱フィン
１８        吸気口
２０        点火機構
２１        電池収納部
２２        マイクロスイッチ
２４        圧電ユニット
２６        スライドつまみ
【図１】
0004511424.tif 000002
【図２】
0004511424.tif 000003
【図３】
0004511424.tif 000004
【図４】
0004511424.tif 000005